【事件の表示】
　上記当事者間の登録第５２４１０８０号商標の商標登録無効審判事件について、次のとおり審決する。
【結　論】
　登録第５２４１０８０号の登録を無効とする。
　審判費用は被請求人の負担とする。
【理　由】
第１　本件商標
　本件登録第５２４１０８０号商標（以下「本件商標」という。）は、「シャーリーテンプル」の片仮名文字を標準文字で表してなり、平成２０年１月３１日に登録出願、同２１年５月２５日に登録査定がなされ、第３５類「被服の小売又は卸売の業務において行われる顧客に対する便益の提供，履物の小売又は卸売の業務において行われる顧客に対する便益の提供，かばん類及び袋物の小売又は卸売の業務において行われる顧客に対する便益の提供」を指定役務として、同年６月１９日に設定登録されたものである。
　　
第２　請求人の主張
　請求人は、結論同旨の審決を求め、その理由を要旨以下のように述べ、証拠方法として、甲第１号証ないし甲第１０号証（枝番号を含む。ただし、以下、全ての枝番号を含む場合には、その枝番号を省略する。）を提出した。
　請求の理由
１　本件商標について
　本件商標は、アメリカ合衆国の子役女優であり、成人後は、ハリウッド女優及び外交官であったＳｈｉｒｌｅｙ　Ｔｅｍｐｌｅ　Ｂｌａｃｋ（旧姓：Ｓｈｉｒｌｅｙ　Ｔｅｍｐｌｅ）（以下「Ｔｅｍｐｌｅ」という場合がある。）のファーストネームとミドルネームをカタカナ書きで表したものからなり、第３５類の「被服の小売又は卸売の業務において行われる顧客に対する便益の提供，履物の小売又は卸売の業務において行われる顧客に対する便益の提供，かばん類及び袋物の小売又は卸売の業務において行われる顧客に対する便益の提供」を指定役務として、登録出願、設定登録されたものである（甲第１号証）。
２　Ｔｅｍｐｌｅが日本を含む世界的に著名な人物であること
（１）「Ｓｈｉｒｌｅｙ　Ｔｅｍｐｌｅ」及び「シャーリーテンプル」は、１９２８年４月２３日生まれの世界的に著名な米国女優Ｓｈｉｒｌｅｙ　Ｔｅｍｐｌｅ　Ｂｌａｃｋ（甲第２号証）の略称である。Ｔｅｍｐｌｅは、子役映画俳優としてデビューし、１９３５年に６歳でアカデミー賞特別賞を受賞するなど多数の映画に出演した実績を有する。３歳で子役映画俳優としてデビューして以来現在に至るまで、世界各国におけるＴｅｍｐｌｅの知名度及び出演作品の人気度が非常に高い。
　アメリカ最大のオンラインショッピングサイト（Ａｍａｚｏｎ．ｃｏｍ）において、Ｔｅｍｐｌｅにちなんだ書籍が６５２点（甲第３号証の１）、出演映画作品、テレビ番組などのＶＨＳビデオ及びＤＶＤが４７９点など（甲第３号証の２）、総数１０００点以上の商品が実際に販売されている。
　更には、Ｔｅｍｐｌｅをかたどった人形、絵皿、写真などいわゆるキャラクターグッズも多種販売されており、人形の商品点数は、１００件（甲第３号証の３）、絵皿の商品点数は、７件（甲第３号証の４）、写真やポスターなどに至っては、１１６１件（甲第３号証の５）もの商品が現在も取引の対象とされている。
　また、Ｔｅｍｐｌｅが日本の需要者の間でも「Ｓｈｉｒｌｅｙ　Ｔｅｍｐｌｅ」又は「シャーリーテンプル」という名称で親しまれ、Ｔｅｍｐｌｅの出演作品が非常に人気を博していることは、Ａｍａｚｏｎ．ｃｏｍの日本の需要者向けのサイトにおいて、平成１８年以降、主演映画「輝く瞳」、「農園の寵児」、「小連隊長」、「テンプルの愛国者」、「テンプルのえくぼ」の新カラーバージョンを収録したＤＶＤが発売されている事実（甲第４号証）からも明らかである。
　さらに、書籍としては、平成４年に「シャーリー・テンプルー私が育ったハリウッド　上・下」というタイトルの自伝が平凡社から出版されている（甲第２号証の３）。
　以上のように、本件商標「シャーリーテンプル」は、米国出身の女優Ｓｈｉｒｌｅｙ　Ｔｅｍｐｌｅ　Ｂｌａｃｋを指し示すものとして一般に受け入れられているのであり、「著名な略称」に該当する。
（２）「シャーリーテンプル」という標章が「著名な略称」に該当することについては、特許庁も認めている（甲第５号証）。
（３）さらに、被請求人である株式会社シャーリー・テンプル（以下「ＳＴＫＫ」という。）自身、Ｔｅｍｐｌｅが著名であることを認めた上で、Ｔｅｍｐｌｅとの間で平成５年５月１日に商標ライセンス契約書（以下「本件ライセンス契約」という。）を締結（甲第６号証）し、請求人であるシャーリーズ・ワールド　Ｌ．Ｐ．との間で平成１５年６月３０日に商標ライセンス契約修正契約書（以下「本件修正契約」という。）を締結している（甲第７号証）。ＳＴＫＫは、本件商標の出願経過においてＴｅｍｐｌｅの著名性については、一切争っておらず（甲第５号証の１及び甲第８号証）、著名性の観点が改めて問題となることはないと考えられる。
（４）以上のとおり、「Ｓｈｉｒｌｅｙ　Ｔｅｍｐｌｅ」及び「シャーリーテンプル」は、１９２８年４月２３日生まれの世界的に著名な米国女優Ｓｈｉｒｌｅｙ　Ｔｅｍｐｌｅ　Ｂｌａｃｋの略称として、本件商標の出願時（平成２０年１月３１日）及び査定時（平成２１年５月２５日）のいずれの時点においても著名であったことは明らかである。
３　本件商標の登録に際しＴｅｍｐｌｅ及び請求人の承諾がないこと
　ＳＴＫＫは、本件の代理人磯野富彦弁理士作成に係る平成２０年１２月２５日付け意見書において、本件ライセンス契約自体がＳＴＫＫとＴｅｍｐｌｅとの間の「商標に関する合意書」にあたると主張した（甲第８号証）。かかる主張は、以下の点で誤りである。
　第１に、Ｔｅｍｐｌｅ及び請求人は、ＳＴＫＫに対し、「シャーリーテンプル」という標章を商標登録出願することを承諾したことも、承諾を不合理に遅滞したこともない（甲第９号証及び甲第１０号証）。
　第２に、本件ライセンス契約第５条は、商標登録出願についてＴｅｍｐｌｅがＳＴＫＫに承諾を与えた規定ではない。本規定は、一方でＳＴＫＫが「シャーリーテンプル」を含む標章を本件ライセンス契約において指定された商品に限り使用することを認めた範囲は、「婦人及び女児用に小売販売される衣料品」等に限定されており、本件商標の指定役務「被服の小売又は卸売の業務において行われる顧客に対する便益の提供，履物の小売又は卸売の業務において行われる顧客に対する便益の提供，かばん類及び袋物の小売又は卸売の業務において行われる顧客に対する便益の提供」は、含まれない。他方、ＳＴＫＫは、Ｔｅｍｐｌｅの承諾を得ない限り当該標章を商標として登録出願してはならないという義務を負うことを明示している。本件ライセンス契約においてＳＴＫＫに認められた権利は、本件ライセンス契約において指定された商品に標章を使用し、Ｔｅｍｐｌｅのグッドウィルを利用して営業することのみであって、無断で商標の登録出願を行うことではない。
　第３に、被請求人は、本件ライセンス契約時に他の商標が既に登録されていることをもって、商標登録が自由に許諾されていたと主張するかもしれないが、Ｔｅｍｐｌｅの承諾を得ずに過誤で認められた商標登録が過去に存在したからといって、本件ライセンス契約締結後に、別の指定商品・役務で新たに商標登録を出願する際に同人の承諾が不要であることにはならない。
　以上のとおりであるから、登録査定時において、他人の著名な略称である本件商標の登録要件として不可欠な、他人に該当するＴｅｍｐｌｅからの承諾が存在していなかったことは明らかである。
４　結論
　したがって、本件商標は、商標法第４条第１項第８号に該当し、同法第４６条第１項の規定により、その登録を無効とすべきである。
　　　
第３　被請求人の答弁
　被請求人は、本件審判の請求は成り立たない、審判費用は請求人の負担とする、との審決を求め、その理由を要旨以下のように述べ、証拠方法として、乙第１号証ないし乙第６号証（枝番号を含む。）を提出した。
　答弁の理由
１　シャーリー・テンプル・ブラックの著名性について
　１９３０年代は、日本では、第２次世界大戦前であり、この略称が著名であったとはいえない。当時の著名な略称であるか否かについては、現在では、調査することもできないが、問題は、本件登録出願時でも著名な略称であるかである。
　この点、１９８７年７月１日第一刷（株式会社キネマ旬報社）「外国映画俳優全集・女優編」（乙第１号証）を見ると、シャーリーテンプルは、掲載されていない。「まえがき」を見ると「８０年代の現在、言及に値する女優はほぼ取り上げているつもりである。」との記載がある。このような映画を紹介する専門の会社がシャーリーテンプルを挙げていないことは、１９８０年代には、もはや有名ではないといえるのではないか。
　確かに、自叙伝を平成４年に出版し、平成１４年同人の子役時代のＤＶＤが発売されたと事実は確認できるとしても、そのことをもって、直ちに、世間一般に広く知られた著名な略称との結論は導けない。けだし、情報が錯綜する昨今、売れないタレントが自叙伝を出すことが良くあるからであり、あるＤＶＤのランキングが８７，７０２位であることから、世間一般に広く知られたということはできない。
　また、インターネットで検索すれば、同人の氏名はたくさん出るが（乙第２号証）、映画業界から見ていると、その評価は、世間一般とは異なる。
２　米国特許庁も著名とは認めていないことについて
　米国においては、人形やカクテルの名称になっていることから、シャーリーテンプルが一般名称になっており、もはや商標として希釈化されていると考えるのが妥当である。
　商標として希釈化された点を証明する証拠として、米国商標登録出願（７７／７２３，３９８号）において、ソフトドリンクを指定商品として「ＳＨＩＲＬＥＹ　ＴＥＭＰＬＥ」は、単に記述的商標にすぎないと判断している（乙第３号証の１）。
　この乙第３号証には、米国特許庁の拒絶理由通知で、現存する人物なので、その方の同意は必要だとの記述はあるが、シャーリー・テンプルが著名だとの記述はない。米国で著名でない以上、我が国でも著名ではない。
３　被請求人の店舗名についての歴史
　被請求人の店舗名としての歴史があることは、被請求人のホームページによる会社の沿革を示す（乙第４号証）。
　被請求人は、ＳＨＩＲＬＥＹ　ＴＥＭＰＬＥ（第１４７８８９４号）を昭和５６年に登録している（乙第５号証）。
　さらに、被請求人は、本件商標を平成２１年に登録していることから（乙第５号証）、現在になって、無効を請求されるのは、承服しかねる。昭和５６年より以前の第２次世界大戦前に有名であった人物が、もし昭和の時代に拒絶されておれば商標の選択を変更できた余地があるが、現在になって無効を請求されるのは取引の安全を害している。
４　結論
　したがって、本件商標は、商標法第４条第１項第８号に該当しない。
　　　
第４　当審の判断
１　「Ｔｅｍｐｌｅ」及びその著名性について 
　請求人提出の甲第２号証ないし甲第４号証（枝番号を含む。）によれば、米国カリフォルニア州在住のＳｈｉｒｌｅｙ　Ｔｅｍｐｌｅ（Ｓｈｉｒｌｅｙ　Ｔｅｍｐｌｅ　Ｂｌａｃｋ）は、１９２８年に生まれ、３才で映画デビュー、１９３４年にフォックス撮影所入社、１９３５年に６歳でアカデミー賞特別賞を受賞するなど多数の映画に出演した実績を有し、子役映画俳優としてデビューして以来米国を代表する子役俳優として活動し、数々の映画に出演したこと、同人の出演した、特に子役時代の映画は、ビデオテープやＤＶＤ等に収録されて、今日においても市販され、一般家庭で普通に観ることができること、これらのビデオテープやＤＶＤ等のパッケージには、「ＳＨＩＲＬＥＹ ＴＥＭＰＬＥ」、「シャーリー・テンプル」の文字が大きく表示されていること、さらに、Ｔｅｍｐｌｅは、平成４（１９９２）年５月に、「シャーリー・テンプル−わたしが育ったハリウッド」と題する自叙伝を発行したことなどを認めることができる。 
　上記状況からすると、「Ｓｈｉｒｌｅｙ　Ｔｅｍｐｌｅ（シャーリー・テンプル）」、すなわち本件商標「シャーリーテンプル」は、米国の映画俳優であったＴｅｍｐｌｅの略称を表すものとして、本件商標の登録出願時には、既に米国のみならず、我が国の国民の間でもよく知られていたと認めることができ、その状態は、本件商標の登録査定時においても継続していたということができる。 
　被請求人は、乙第１号証を示して、株式会社キネマ旬報社発行の「外国映画俳優全集・女優編」に「シャーリーテンプルは、掲載されていない。」と述べている。
　しかしながら、Ｔｅｍｐｌｅは、「５０年には映画界を引退し、・・・その後は政界に活躍の場を移し、国連代表委員、ガーナ大使を歴任、現在はチェコスロバキア大使を務めている。」（甲第２号証の３）とあり、１９５０年には女優としての活動を停止しているものである。
　そして、当該辞典は、「８０年代なかばの現在でも活動している女優を収録することにした」（乙第１号証）のであるから、Ｔｅｍｐｌｅが掲載されていないのは当然であり、女優としての活動を停止したからといって、その著名性が直ちに消滅するものではなく、政界その他の場における活動を通じてもなお、その著名性は維持され、継続されているというべきである。
　また、被請求人は、米国において「シャーリーテンプル」が人形やカクテルの名称になっていること（乙第３号証）をもって、一般名称になっており、もはや商標として希釈化されている旨、さらに、被請求人の店舗名としての歴史があること（乙第４号証）及び過去の登録例（乙第５号証）があることをもって、現在になって，無効を請求されるのは承服しかねる旨主張するも、これらの事情が、本件商標の商標法第４条第１項第８号の該当性の判断を左右するものではない。
　したがって、いずれの請求人の主張は、採用することができない。
２　Ｔｅｍｐｌｅ及び請求人と本件商標の商標権者との間の商標ライセンス契約等について 
（１）甲第６号証ないし甲第１０号証（枝番号を含む。）によれば、以下の事実を認めることができる。 
（ア）平成５（１９９３）年５月１日に、Ｔｅｍｐｌｅと商標権者との間で締結した本件ライセンス契約（以下「原契約」という。）の内容は、概略以下のとおりである（甲第６号証）。 
ａ　Ｔｅｍｐｌｅは、商標権者に対し、商標権者が商品「ワンピース、スカート、ブラウス、シャツ、パンツ、コート、ジャケット、寝巻き、靴、靴下及び帽子を含む、婦人及び女児用に小売販売される衣料品」（以下「本製品」という。）について、日本、香港、韓国、台湾、シンガポール及び東南アジア地域において、「シャーリー・テンプル」の標章を使用し、幼少の頃のテンプルの肖像写真を使用する、譲渡不可かつ独占的な、ロイヤリティを対価とするライセンスを許諾するが、当該ライセンスは、本製品の流通及び小売販売にのみ関連するものとし、その他の目的には使用しないものとする（第１条、第２条）。
ｂ　Ｔｅｍｐｌｅは、商標権者が、日本国内で、「Ｓｈｉｒｌｅｙ　Ｔｅｍｐｌｅ」及び「シャーリー・テンプル」の各標章を使用していることを承知しているが、商標権者は、Ｔｅｍｐｌｅの承諾を得ずに、当該標章に係るいかなる権利も譲渡、ライセンス許諾、その他の方法で移転しないことに同意すること、また、商標権者は、「Ｓｈｉｒｌｅｙ　Ｔｅｍｐｌｅ」という名前を含む一切の標章については、あらゆる形態において、あらゆる管轄地において、Ｔｅｍｐｌｅの承諾なく登録を得ることを企図しないことに同意する（第５条）。 
（イ）平成１５（２００３）年６月３０日に、Ｔｅｍｐｌｅの承継者かつ譲受人である請求人と商標権者との間で締結した本件修正契約（以下「本契約」という。）の内容は、概略以下のとおりである（甲第７号証）。 
ａ　Ｔｅｍｐｌｅは、原契約に基づく一切の権利義務を請求人に譲渡しており、また、請求人に対し、商標権者へのシャーリー・テンプル標章のライセンスを供与する権利を付与している。 
ｂ　原契約の期間は、平成１５（２００３）年４月３０日に満了する。 
ｃ　請求人と商標権者は、原契約の期間の延長をし、原契約の条件を修正及び変更するため、本契約を締結した。 
ｄ　本製品及びその使用地域は、原契約どおりである（第１条）。 
ｅ　原契約の期間を１０年延長（平成２５（２０１３）年４月３０日に満了）する（第２条）。 
ｆ　本契約において修正された場合を除き、原契約の規定は継続して効力を有する（第８条）。 
（ウ）本件商標の審査の段階において、商標権者は、平成２０年１２月１５日付け発送に係る拒絶理由通知（商標法第４条第１項第８号）を受けたことに対し、同年１２月２５日付け意見書において、「承諾につきまして、シャーリーテンプルブラック様との間で商標に関する合意書がありますので、必要な個所の翻訳を添付して、同日付けで提出する手続補足書でご郵送します。以上の結果、拒絶理由が解消しましたので、登録査定の程、よろしくお願い申し上げます。」と述べ（甲第８号証）、当審における職権調査によれば、同日付け手続補足書に添付された商標権者のいう「合意書」は、前記平成１５（２００３）年５月１日に締結された原契約書（甲第６号証）と認められる。
（エ）Ｔｅｍｐｌｅの「宣誓供述書」によれば、日本において「Ｓｈｉｒｌｅｙ　Ｔｅｍｐｌｅ（シャーリー・テンプル）」の商標を第３５類として登録する承諾を商標権者に与えていないことが認められる（甲第９号証）。 
（２）上記（１）で認定した事実によれば、商標権者は、自己の業務に係る被服等に、「Ｓｈｉｒｌｅｙ　Ｔｅｍｐｌｅ」及び「シャーリー・テンプル」の各標章を使用することについて、平成５（１９９３）年５月１日及び同１５（２００３）年６月３０日において、Ｔｅｍｐｌｅないし請求人との間で、原契約及び本契約を締結したことが認められる。
　しかし、上記各契約は、あくまでも商標権者が婦人及び女児用の衣料品に「Ｓｈｉｒｌｅｙ　Ｔｅｍｐｌｅ」及び「シャーリー・テンプル」の各標章を使用することについて、Ｔｅｍｐｌｅないし請求人が許諾をしたにすぎないものであって、商標権者が「シャーリーテンプル」の文字からなる本件商標の登録出願をし、商標登録を得ることについてまで承諾を与えたとみることはできない。
　また、既に、Ｔｅｍｐｌｅは、日本において「Ｓｈｉｒｌｅｙ　Ｔｅｍｐｌｅ（シャーリー・テンプル）」の商標を第３５類として登録する承諾を商標権者に与えていない旨の「宣誓供述書」が提出されているものである。 
　その他、請求人らが商標権者に対し、本件商標の登録出願について、承諾を与えたと認めるに足る証拠は見いだせない。 
　そうすると、本件商標は、その登録出願時及び登録査定時において、世界的に知られている米国の女優であったＴｅｍｐｌｅの著名な略称であって、かつ、商標権者は、本件商標の出願及び登録について、その承諾を得ていなかったものといわざるを得ない。 
３　結び
　以上のとおり、本件商標は、商標法第４条第１項第８号に違反して登録されたものであるから、同法第４６条第１項の規定により、その登録を無効とすべきものである。
　よって、結論のとおり審決する。